(57)【要約】【課題】ミント系香料のミント風味を増強する方法を提供する。【解決手段】ミント系香料にラカンカ抽出物を共存させることにより、ミント風味を増強する。【選択図】なし【特許請求の範囲】
【請求項１】
ミント系香料及びラカンカ抽出物を含有することを特徴とする、ミント風味香料組成物。
【請求項２】
ミント系香料１質量部に対して、ラカンカ抽出物を０．００５〜３０質量部含有する、請求項１記載のミント風味香料組成物。
【請求項３】
ミント系香料にラカンカ抽出物を共存させることを特徴とする、ミント風味の増強方法。
【請求項４】
ミント系香料１質量部に対して、ラカンカ抽出物を０．００５〜３０質量部共存させる、請求項３記載のミント風味の増強方法。
【請求項５】
ラカンカ抽出物を有効成分とする、ミント風味増強剤。
【請求項６】
ミント系香料とラカンカ抽出物を、ミント系香料１質量部に対して、ラカンカ抽出物０．００５〜３０質量部含有する、ミント風味製品。
【発明の詳細な説明】
【技術分野】
【０００１】
本発明は、ミント風味香料組成物、より詳細には、ミント系香料及びラカンカ抽出物を含有するミント風味香料組成物、及びミント風味の増強方法、より詳細には、ミント系香料にラカンカ抽出物を共存させるミント風味の増強方法に関する。
【背景技術】
【０００２】
ペパーミントオイル、スペアミントオイル、ハッカ油、メントールなどのミント系香料は、清涼感を与える清涼剤として、チューインガムやキャンディーなどの菓子類などの飲食品や、歯磨、化粧品、医薬品などに広く用いられている。
特に飲食品においては、ミント系香料を添加することにより、スッキリとした風味に整えることができる。
しかしながら、ミント系香料は多量に使用すると、清涼感は増強されるが、それ自体に由来する苦味が強くなるという問題点があった。
【０００３】
そのため、ミント系香料の風味を改良し増強するために、種々の提案がされている。
特許文献１には、ミント系香料にポリゴジアールもしくはポリゴジアールを含有する植物の抽出物を添加することにより、ミント系香料の香味を改善する方法が記載されている。
特許文献２には、ミント類に１，３，５，８−ウンデカテトラエン類を含有させることにより、強さやインパクトなどに優れたミント組成物が記載されている。
特許文献３には、６，８，１０−ウンデカトリエン−３−オン、３−メチル−２，４−ノナンジオン又は４−エチルグアヤコールを、ミント系香料に配合することで、香気・香味の強さが増してインパクトが強くなる、ミント風味の増強されたミント風味香料組成物が記載されている。
【０００４】
また、甘味料などを用いてミント系香料の苦味を抑制する方法も、種々の提案がされている。
特許文献４には、ステビア抽出物の成分である甘味配糖体のレバウディオサイドＡを添加する方法が、特許文献５には、スクラロースやアスパルテームなどの高甘味度甘味料を配合する方法が、特許文献６には、ガムベース、甘味料（スクラロース、アスパルテーム、ステビアなど）、メントールおよびＮ−置換−ｐ−メンタンカルボキシアミドからなるチューインガム組成物が記載されている。
【０００５】
ラカンカ抽出物は、中国南部の高冷地で栽培されている「学名：Siraitia grosvenorii C.Jeffrey ex A.M.Lu & Zhi Y.Zhang(Momordica grosvenori Swingle）」というウリ科の果実の生又は乾燥したものから、水、メタノール、エタノールなどで抽出されるもので、モグロシドＶを甘味の主成分（ショ糖の約３００倍の甘味を有する）として含有するものである。
ラカンカ抽出物は、高甘味度甘味料として、飲料など種々の飲食品の甘味付け（特許文献７）だけでなく、麦芽を原料とする低カロリー醸造酒に添加して醸造酒の風味の付加（特許文献８）や、酸味料を含有するチューインガムの酸味の増強（特許文献９）などにも用いられている。
特許文献９には、チューインガムにミント系香料を使用することも記載されているが、これら特許文献のいずれにも、ミント系香料にラカンカ抽出物を共存させることで、ミント風味を増強できることは記載されていない。
【先行技術文献】
【特許文献】
【０００６】
【特許文献１】特開平７−１４５３９８号公報
【特許文献２】特開２００７−２４６６８２公報
【特許文献３】特開２０１３−１０７９７６号公報
【特許文献４】特公昭６１−６８０２号公報
【特許文献５】特開平２−１７７８７０号公報
【特許文献６】特開平３−５３８４９号公報
【特許文献７】特開２０１２−１４７８０２号公報
【特許文献８】特開２００３−４７４５３号公報
【特許文献９】特開２０１３−８１４５１号公報
【発明の概要】
【発明が解決しようとする課題】
【０００７】
前記のように、飲食品などにミント系香料を多量使用すると、ミント香料由来の苦味が出てくるという問題点があった。
そのため、苦味を抑えるために、ミント系香料の使用量を低減しても、ミント風味を増強できる手段が望まれていた。
【課題を解決するための手段】
【０００８】
本発明者らは、上記従来技術の問題点に鑑み、鋭意研究を重ねていたところ、高甘味度甘味料として飲食品などに使用されているラカンカ抽出物に、ミント系香料のミント風味を増強する効果があることを見出した。
【０００９】
すなわち、本発明は下記に掲げるミント風味香料組成物、ミント風味の増強方法、ミント風味増強剤、及びミント風味飲食品に関するものである。
項１．ミント系香料及びラカンカ抽出物を含有することを特徴とする、ミント風味香料組成物。
項２．ミント系香料１質量部に対して、ラカンカ抽出物を０．００５〜３０質量部含有する、項１記載のミント風味香料組成物。
項３．ミント系香料にラカンカ抽出物を共存させることを特徴とする、ミント風味の増強方法。
項４．ミント系香料１質量部に対して、ラカンカ抽出物を０．００５〜３０質量部共存させる、項３記載のミント風味の増強方法。
項５．ラカンカ抽出物を有効成分とする、ミント風味増強剤。
項６．ミント系香料とラカンカ抽出物を、ミント系香料１質量部に対して、ラカンカ抽出物０．００５〜３０質量部含有する、ミント風味製品。
【発明の効果】
【００１０】
本発明により、ミント系香料のミント風味を増強することのできるミント風味香料組成物を提供することができる。
ミント風味を増強することができるため、ミント系香料の使用量を少なくでき、それにより苦味を抑えることができる。
また、本発明により、ミント風味を増強することのできるミント風味増強剤、及びミント風味の増強方法を提供することができる。
さらに、本発明により、ミント風味の増強された飲食品などの製品を提供することができる。
【発明を実施するための形態】
【００１１】
（ミント風味香料組成物）
本発明のミント風味香料組成物は、ミント系香料及びラカンカ抽出物を含有することを特徴とする。
本発明のミント風味香料組成物に用いるミント系香料としては、例えば、ハッカ油、ペパーミントオイル、スペアミントオイル、メントールなどが挙げられる。
【００１２】
本発明のミント風味香料組成物に用いるラカンカ抽出物は、中国南部の高冷地で栽培されている「学名：Siraitia grosvenorii C.Jeffrey ex A.M.Lu & Zhi Y.Zhang(Momordica grosvenori Swingle）」というウリ科の果実の生又は乾燥したものから、水、メタノール、エタノールなどで抽出されるもので、モグロシドＶを甘味の主成分（ショ糖の約３００倍の甘味を有する）として含有するものである。
ラカンカ抽出物は、例えば、ＦＤ羅漢果濃縮エキスパウダー（三栄源エフ・エフ・アイ社製、モグロシドＶ１５％及び７％含有品）などの市販品や、同社のモグロシドＶ５０％含有品を使用することができる。 
【００１３】
本発明のミント風味香料組成物において、ミント系香料に含有させるラカンカ抽出物の量としては、ミント系香料１質量部に対して、ラカンカ抽出物は０．００５〜３０質量部、好ましくは０．０１〜２０質量部、さらに好ましくは０．１〜１０質量部である。
ミント系香料に含有させるラカンカ抽出物の量が、ミント系香料１質量部に対して、０．００５質量部より少ないと、ミント風味の増強効果が十分ではなく、また、３０質量部より多いと、ラカンカ抽出物の甘味が強くなりすぎて好ましくない。
【００１４】
本発明のミント風味香料組成物は、ミント系香料とラカンカ抽出物が含有されていればよく、粉末状、顆粒状、固形状、液状といった剤型を問わず、また、一剤であるか二剤であるかも問わない。
ミント系香料とラカンカ抽出物とを粉体混合したものでもよく、またミント系香料の溶液をラカンカ抽出物の粉末に噴霧したものでもよく、逆にミント系香料の粉末にラカンカ抽出物の溶液を噴霧して得られたものでもよい。
また、ミント系香料の溶液とラカンカ抽出物の溶液とを混合した後、乾燥させて得られたものでもよく、乾燥方法にも特に制限はなく、スプレードライ、凍結乾燥など種々の方法を使用できる。
このミント風味香料組成物には、本発明の効果を阻害しない限度において、その他の香料、色素、酸化防止剤、保存料、ビタミン類、カルシウム類、ミネラル類など、その他の食品・食品添加物類を含むこともできる。
このようにして得られたミント風味香料組成物を、例えば飲食品に０．０１〜３質量％添加することにより、飲食品に強いミント様の香気・香味を付与することができる。
【００１５】
（ミント風味の増強方法）
本発明のミント風味の増強方法は、ミント系香料にラカンカ抽出物を共存させることを特徴とする。
本発明のミント風味の増強方法では、上記のようにミント系香料とラカンカ抽出物を含有させて、ミント風味香料組成物としてこれを飲食品などに添加することによってミント風味を増強することができるが、例えば飲食品において、必ずしも１つの飲食品中にミント風味香料組成物が添加されている場合だけでなく、異なる食品にミント系香料とラカンカ抽出物がそれぞれ別々に含まれる場合であっても、食する時点においてミント系香料とラカンカ抽出物が共存していれば、ミント風味を増強することができる。
この例としては、ミント系香料を含有するヨーグルトに、別途ラカンカ抽出物を含有するソースをかけ、混ぜ合わせて食する場合などが挙げられる。
ミント風味を増強するために、ミント系香料と共存させるラカンカ抽出物の量としては、ミント系香料１質量部に対して、０．００５〜３０質量部、好ましくは０．０１〜２０質量部、さらに好ましくは０．１〜１０質量部である。
【００１６】
（ミント風味増強剤）
本発明のミント風味増強剤は、ラカンカ抽出物を有効成分とする。
ラカンカ抽出物は、ミント系香料のミント風味を増強する効果を奏する。
本発明のミント風味増強剤において、ミント風味を増強するために使用するラカンカ抽出物の量としては、ミント系香料１質量部に対して、ラカンカ抽出物は０．００５〜３０質量部、好ましくは０．０１〜２０質量部、さらに好ましくは０．１〜１０質量部である。
【００１７】
（ミント風味製品）
本発明のミント風味製品は、上記のミント風味香料組成物あるいはミント風味増強剤によって、ミント風味が増強された製品であり、ミント系香料とラカンカ抽出物を、ミント系香料１質量部に対して、ラカンカ抽出物０．００５〜３０質量部含有するもので、その例としては、飲食品、歯磨、化粧品、医薬品などが挙げられる。
具体的には、飲食品の例として、チューインガム、チョコレート、キャンディー、ケーキ、錠菓などの菓子類；果汁飲料、果実酒、炭酸飲料、清涼飲料、乳飲料などの飲料類；アイスクリーム、シャーベット、アイスキャンディーなどの冷菓や氷菓類；ゼリー、プリンなどのデザート類などが挙げられる。
化粧品としては、クリーム、乳液、化粧水、口紅、リップクリームなどが挙げられ、医薬品としては、ハップ剤、軟膏剤、内服剤などが挙げられる。
【実施例】
【００１８】
以下、本発明の内容を以下の実施例を用いて具体的に説明するが、本発明はこれらに何ら限定されるものではない。
なお、以下の記載において、「部」は質量部を示す。
【００１９】
実施例１
下記表１の処方配合に従い、少し加温して軟化させたガムベースに、それ以外の原料を加えて６０℃、３０rpmで撹拌混合して、チューインガムボディを製造した。
次いで、表２の処方配合に従い、チューインガムボディにラカンカ抽出物とペパーミントオイルを練り込み、成型してチューインガムを製造した。
ラカンカ抽出物無添加のコントロールと比べて、次の基準でミント風味の増強効果を評価し、結果を表３に示した。
◎：ミント風味が強く増強された    ○：ミント風味が増強された  
△：ミント風味がやや増強された    ×：増強効果なし
【００２０】
【表１】
2015140381.tif 000002
【００２１】
【表２】
2015140381.tif 000003
＊１：三栄源エフ・エフ・アイ社製、モグロシドＶ５０％含有品
【００２２】
【表３】
2015140381.tif 000004
【００２３】
ペパーミントオイル０．０８部に対して、ラカンカ抽出物添加量０．０００５〜２部、さらには０．００１〜０．８部、特には０．０１〜０．５部の範囲で、ミント風味の増強効果が認められた。
【００２４】
実施例２
表２の処方において、ラカンカ抽出物と、それに代えて各種高甘味度甘味料を表４のように、ラカンカ抽出物０．３４部添加と同じ甘味になるような量を添加して、実施例１と同様にしてチューインガムを製造した。
実施例１と同一の基準でミント風味の増強効果を評価して、結果を表４に示した。
【００２５】
【表４】
2015140381.tif 000005
＊２：ミラスィー２００（DSP五協フード＆ケミカル株式会社）
＊３：レバウディオJ-１００（守田化学工業株式会社、レバウディオサイドＡ９５％含有製剤）
【００２６】
使用した高甘味度甘味料の中で、ラカンカ抽出物が最もミント風味の増強効果が強かった。
その他の高甘味度甘味料では、スクラロース、ネオテーム２％含有製剤及びソーマチンにミント風味の増強効果が認められ、アスパルテームとアセスルファムＫにミント風味の増強効果がやや認められたが、ステビア抽出物やサッカリンＮａではミント風味の増強効果が認められなかった。
【００２７】
実施例３
下記表５の処方配合に従い、各原料を粉体混合し、直径７ｍｍで打錠して、錠菓を製造した（１錠約０．１５ｇ）。
実施例１と同一の基準でミント風味の増強効果を評価して、結果を表６に示した。
【００２８】
【表５】
2015140381.tif 000006
【００２９】
【表６】
2015140381.tif 000007
【００３０】
使用した高甘味度甘味料の中で、ラカンカ抽出物が最もミント風味の増強効果が強かった。
その他の高甘味度甘味料では、スクラロースにミント風味の増強効果が認められ、アスパルテームにミント感の増強効果がやや認められたが、ステビア抽出物ではミント風味の増強効果が認められなかった。
【００３１】
実施例４
水に表７の甘味料及びミントフレーバー（ナチュラルクーリングフレーバーＮｏ．４１６６ＦＧ、三栄源エフ・エフ・アイ社製）０．１５部を加えて撹拌溶解し、１００部とした。
各甘味料は、砂糖６部添加と同じ甘味になるような量を添加した。
各水溶液のミント風味の増強効果を評価し、結果を表７に示した。
【００３２】
【表７】
2015140381.tif 000008
【００３３】
水溶液においても、ラカンカ抽出物ではミントフレーバーのミント風味の増強効果が認められたが、その他の甘味料では、ミント風味の増強効果は十分に認められなかった。
【産業上の利用可能性】
【００３４】
本発明により、ミント系香料のミント風味を増強することができるので、チューインガムなどの飲食品分野において特に有用である。